【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
コネクション型のデータリンク層を有し、基地局がルータを介してインターネットプロトコルネットワークに接続される無線通信システムの移動局において、
インターネットプロトコルマルチキャストを第１のルータに接続されている第１の基地局経由で受信中に、接続先基地局を前記第１の基地局から第２のルータに接続されている第２の基地局に切り替えた場合に実行される手段として、
前記第１の基地局との間で確立していたブロードキャストリンクと、ユニキャストリンクと、マルチキャストリンクとを前記第２の基地局に対して再確立するように要求する手段と、
前記第２のルータに対して、前記確立したマルチキャストリンクを介してマルチキャストパケットを転送するように要求する手段と、
を備えたことを特徴とする移動局。
【請求項２】
前記接続先基地局を前記第１の基地局から前記第２の基地局に切り替える前に、前記第１のルータに対して、前記マルチキャストパケットの転送を停止するように要求する手段を備えたことを特徴とする請求項１に記載の移動局。
【請求項３】
前記第１の基地局との間に確立している前記マルチキャストリンクの各々の通信データ量を集計する手段と、
前記マルチキャストリンクを、前記集計した通信データ量の多さの順位を優先度の高さの順位として優先順位付けする手段と、
前記接続先基地局を前記第１の基地局から前記第２の基地局へ切り替えた場合に、前記第２の基地局に対して、前記優先順位付けによる優先順位の高さの順にマルチキャストリンクの確立をするように要求する手段と、
を備えたことを特徴とする請求項１に記載の移動局。
【請求項４】
前記第１の基地局との間に確立している前記マルチキャストリンクの各々の最終受信時刻を記録する手段と、
前記マルチキャストリンクを、最終受信時刻の新しさの順位を優先度の高さの順位として優先順位付けする手段と、
前記接続先基地局を前記第１の基地局から前記第２の基地局へ切り替えた場合に、前記第２の基地局に対して、前記優先順位付けによる優先順位の高さの順にマルチキャストリンクの確立をするように要求する手段と、
を備えたことを特徴とする請求項１に記載の移動局。
【請求項５】
コネクション型のデータリンク層を有し、ルータを介してインターネットプロトコルネットワークに接続される無線通信システムの基地局において、
インターネットプロトコルマルチキャストを前記無線通信システムの移動局に対して送信中、前記移動局が、自局の通信範囲外に移動した場合に、自局に接続されているルータに対して、前記マルチキャストパケットの転送を停止するように要求する手段を備えたことを特徴とする基地局。
【請求項６】
複数の移動局が接続されている場合に、前記移動局の１つが、自局の通信範囲外に移動した時に、自局に接続されているルータに対して、前記マルチキャストパケットの転送を停止するように要求しない手段を備えたことを特徴とする請求項５に記載の基地局。
【請求項７】
請求項１乃至４のいずれか１項に記載の移動局と、請求項５または請求項６に記載の複数の基地局と、
前記複数の基地局の各々に対応して接続されるルータと、
前記複数のルータとインターネットプロトコルネットワークを介して接続されるサーバと、
を備えた無線通信システム。
【請求項８】
コネクション型のデータリンク層を有し、移動局と無線通信する基地局が、ルータを介してインターネットプロトコルネットワークに接続される無線通信システムの移動局の基地局接続方法であって、
前記移動局が、インターネットプロトコルマルチキャストを第１のルータに接続されている第１の基地局経由で受信中に、接続先基地局を前記第１の基地局から第２のルータ接続されている第２の基地局に切り替えた場合に、前記移動局において実行される処理ステップとして、
前記第１の基地局との間で確立していたブロードキャストリンクと、ユニキャストリンクと、マルチキャストリンクとを前記第２の基地局に対して再確立するように要求するステップと、
前記第２のルータに対して、前記確立したマルチキャストリンクを介してマルチキャストパケットを転送するように要求するステップと、
を備えたことを特徴とする基地局接続方法。
【請求項９】
前記移動局が、前記接続先基地局を前記第１の基地局から前記第２の基地局に切り替える前に、前記移動局から、前記第１のルータに対して、前記マルチキャストパケットの転送を停止するように要求するステップを備えたことを特徴とする請求項８に記載の基地局接続方法。
【請求項１０】
前記移動局において、
前記第１の基地局との間に確立している前記マルチキャストリンクの各々の通信データ量を集計するステップと、
前記マルチキャストリンクを、前記集計した通信データ量の多さの順位を優先度の高さの順位として優先順位付けするステップと、
前記接続先基地局を前記第１の基地局から前記第２の基地局へ切り替えた場合に、前記第２の基地局に対して、前記優先順位付けによる優先順位の高さの順にマルチキャストリンクの確立をするように要求するステップと、
を備えたことを特徴とする請求項８に記載の基地局接続方法。
【請求項１１】
前記移動局において、
前記第１の基地局との間に確立している前記マルチキャストリンクの各々の最終受信時刻を記録するステップと、
前記マルチキャストリンクを、最終受信時刻の新しさの順位を優先度の高さの順位として優先順位付けするステップと、
前記接続先基地局を前記第１の基地局から前記第２の基地局へ切り替えた場合に、前記第２の基地局に対して、前記優先順位付による優先順位の高さの順にマルチキャストリンクの確立をするように要求するステップと、
を備えたことを特徴とする請求項８に記載の基地局接続方法。
【請求項１２】
コネクション型のデータリンク層を有し、基地局がルータを介してインターネットプロトコルネットワークに接続される無線通信システムの移動局管理方法であって、
インターネットプロトコルマルチキャストを前記無線通信システムの移動局に対して転送中に、転送相手の移動局が、前記基地局の通信範囲外に移動した場合に、前記基地局が、前記基地局に接続されているルータに対して、前記マルチキャストパケットの転送を停止するように要求するステップを備えたことを特徴とする移動局管理方法。
【請求項１３】
前記基地局に複数の移動局が接続されている場合にあっては、前記基地局に接続されている移動局の１つが、前記基地局の通信範囲外に移動した場合であっても、前記基地局に接続されているルータに対して、前記マルチキャストパケットの転送を停止するように要求しないようにするステップを備えたことを特徴とする請求項１２に記載の移動局管理方法。
【請求項１４】
請求項８乃至１１のいずれかに記載の基地局接続方法を、移動局においてコンピュータに実行させるためのプログラム。
【請求項１５】
請求項１２乃至１３のいずれかに記載の移動局管理方法を、基地局においてコンピュータに実行させるためのプログラム。
【請求項１６】
請求項１４又は１５に記載のプログラムを記録した記録媒体。
【手続補正２】
【補正対象書類名】明細書
【補正対象項目名】０００８
【補正方法】変更
【補正の内容】
【０００８】
なお、このＩＰマルチキャストは、ＩＥＴＦ（Internet Engineering Task Force）により、Internet Group Management Protocol（ＲＦＣ２２３６）に準拠した管理プロトコルが定められている。
具体的には、図１７に示すように、まずサーバ１７００がＩＰネットワーク１７０１内にＩＰマルチキャストパケットを送信する。一方、ＩＰマルチキャストを受信したい端末（ここでは端末１７０３とする）は、ルータ１７０２に対して、受信したいＩＰマルチキャストアドレスへの参加要求（ＩＧＭＰ  Ｇｒｏｕｐ  Ｊｏｉｎメッセージ（後述の図１０を参照））を送信する。これにより、ルータ１７０２は、指定されたＩＰマルチキャストアドレスのＩＰパケットを下位ネットワークへ転送するので、端末１７０３は、希望したＩＰマルチキャストパケットを受信することができる。ＩＰマルチキャストパケットの受信を停止する場合には、端末１７０３が上位ルータ１７０２に対して、ＩＰマルチキャストアドレスからの離脱要求（ＩＧＭＰ  Ｇｒｏｕｐ  Ｌｅａｖｅメッセージ、図１１を参照）を送信する。これにより、上位ルータ１７０２は、配下の端末１７０４，１７０５に対して、離脱しようとしているマルチキャストグループに参加していないかを問い合わせ、応答がなければ、指定されたＩＰマルチキャストアドレスのＩＰパケットの転送を停止する。
【手続補正３】
【補正対象書類名】明細書
【補正対象項目名】００２０
【補正方法】変更
【補正の内容】
【００２０】
本発明は、上述した課題を解決するためになされたもので、コネクション型のデータリンク層を有し、基地局がルータを介してインターネットプロトコルネットワークに接続される無線通信システムの移動局において、インターネットプロトコルマルチキャストを第１のルータに接続されている第１の基地局経由で受信中に、接続先基地局を前記第１の基地局から第２のルータに接続されている第２の基地局に切り替えた場合に実行される手段として、前記第１の基地局との間で確立していたブロードキャストリンクと、ユニキャストリンクと、マルチキャストリンクとを前記第２の基地局に対して再確立するように要求する手段と、前記第２のルータに対して、前記確立したマルチキャストリンクを介してマルチキャストパケットを転送するように要求する手段とを備えたことを特徴とするものである。
【手続補正４】
【補正対象書類名】明細書
【補正対象項目名】００２１
【補正方法】変更
【補正の内容】
【００２１】
ここで、前記移動局は、前記接続先基地局を、前記第１の基地局から前記第２の基地局に切り替える前に、前記第１のルータに対して、前記マルチキャストパケットの転送を停止するように要求する手段を備えたことを特徴とする。
【手続補正５】
【補正対象書類名】明細書
【補正対象項目名】００２２
【補正方法】変更
【補正の内容】
【００２２】
また、前記移動局は、前記第１の基地局との間に確立している前記マルチキャストリンクの各々の通信データ量を集計する手段と、前記マルチキャストリンクを、前記集計した通信データ量の多さの順位を優先度の高さの順位として優先順位付けする手段と、前記接続先基地局を前記第１の基地局から前記第２の基地局へ切り替えた場合に、前記第２の基地局に対して、前記優先順位付けによる優先順位の高さの順にマルチキャストリンクの確立をするように要求する手段とを備えたことを特徴とする。
【手続補正６】
【補正対象書類名】明細書
【補正対象項目名】００２３
【補正方法】変更
【補正の内容】
【００２３】
また、前記移動局は、前記第１の基地局との間に確立している前記マルチキャストリンクの各々の最終受信時刻を記録する手段と、前記マルチキャストリンクを、最終受信時刻の新しさの順位を優先度の高さの順位として優先順位付けする手段と、前記接続先基地局を前記第１の基地局から前記第２の基地局へ切り替えた場合に、前記第２の基地局に対して、前記優先順位付けによる優先順位の高さの順にマルチキャストリンクの確立をするように要求する手段とを備えたことを特徴とする。
【手続補正７】
【補正対象書類名】明細書
【補正対象項目名】００２７
【補正方法】変更
【補正の内容】
【００２７】
さらに、本発明は、コネクション型のデータリンク層を有し、移動局と無線通信する基地局が、ルータを介してインターネットプロトコルネットワークに接続される無線通信システムの移動局の基地局接続方法であって、前記移動局が、インターネットプロトコルマルチキャストを第１のルータに接続されている第１の基地局経由で受信中に、接続先基地局を前記第１の基地局から第２のルータ接続されている第２の基地局に切り替えた場合に、前記移動局において実行される処理ステップとして、前記第１の基地局との間で確立していたブロードキャストリンクと、ユニキャストリンクと、マルチキャストリンクとを前記第２の基地局に対して再確立するように要求するステップと、前記第２ルータに対して、前記確立したマルチキャストリンクを介してマルチキャストパケットを転送するように要求するステップとを備えたことを特徴とするものである。
【手続補正８】
【補正対象書類名】明細書
【補正対象項目名】００２８
【補正方法】変更
【補正の内容】
【００２８】
ここで、前記基地局接続方法は、前記移動局が、前記接続先基地局を、前記第１の基地局から前記第２の基地局に切り替える前に、前記移動局から、前記第１のルータに対して、前記マルチキャストパケットの転送を停止するように要求するステップを備えたことを特徴とする。
【手続補正９】
【補正対象書類名】明細書
【補正対象項目名】００２９
【補正方法】変更
【補正の内容】
【００２９】
また、前記基地局接続方法は、前記移動局において、前記第１の基地局との間に確立している前記マルチキャストリンクの各々の通信データ量を集計するステップと、前記マルチキャストリンクを、前記集計した通信データ量の多さの順位を優先度の高さの順位として優先順位付けするステップと、前記接続先基地局を前記第１の基地局から前記第２の基地局へ切り替えた場合に、前記第２の基地局に対して、前記優先順位付けによる優先順位の高さの順にマルチキャストリンクの確立をするように要求するステップとを備えたことを特徴とする。
【手続補正１０】
【補正対象書類名】明細書
【補正対象項目名】００３０
【補正方法】変更
【補正の内容】
【００３０】
また、前記基地局接続方法は、前記移動局において、前記第１の基地局との間に確立している前記マルチキャストリンクの各々の最終受信時刻を記録するステップと、前記マルチキャストリンクを、最終受信時刻の新しさの順位を優先度の高さの順位として優先順位付けするステップと、前記接続先基地局を前記第１の基地局から前記第２の基地局へ切り替えた場合に、前記第２の基地局に対して、前記優先順位付による優先順位の高さの順にマルチキャストリンクの確立をするように要求するステップとを備えたことを特徴とする。
【手続補正１１】
【補正対象書類名】明細書
【補正対象項目名】００３１
【補正方法】変更
【補正の内容】
【００３１】
また、本発明は、コネクション型のデータリンク層を有し、基地局がルータを介してインターネットプロトコルネットワークに接続される無線通信システムの移動局管理方法であって、インターネットプロトコルマルチキャストを前記無線通信システムの移動局に対して転送中に、転送相手の移動局が、前記基地局の通信範囲外に移動した場合に、前記基地局が、前記基地局に接続されているルータに対して、前記マルチキャストパケットの転送を停止するように要求するステップを備えたことを特徴とするものである。
【手続補正１２】
【補正対象書類名】明細書
【補正対象項目名】００４３
【補正方法】変更
【補正の内容】
【００４３】
また、ルータ１０３は、配下の端末からＩＧＭＰ  Ｇｒｏｕｐ  Ｊｏｉｎメッセージ（後述の図７）を受信した場合には、そのメッセージ内で指定されたＩＰマルチキャストアドレスのＩＰパケットがＩＰネットワーク１０１に流れている場合には、そのＩＰパケットを配下のネットワークに転送する。さらに、配下の端末からＩＧＭＰ  Ｇｒｏｕｐ  Ｊｏｉｎメッセージを受信した場合には、配下の端末の中でそのメッセージ内で指定されたＩＰマルチキャストアドレスを受信している端末が有るか否かを問い合わせ、このような端末が存在していなければ、基地局１０５へのＩＰマルチキャストパケットの転送を停止する。